(57)【特許請求の範囲】
【請求項１】
植物定植用の貫通の植え穴が複数、設けられた水耕栽培用定植板であって、
前記植え穴間の間隔寸法を大きく、又は、小さく、変更することができるようになされている水耕栽培用定植板であって、
前記植え穴が、水平二次元方向に分散状態に備えられ、
該植え穴間の板部に切込みが入れられ、
該植え穴間の板部を、Ｖ字状に屈折させて重ね合わせ状にすると共に前記切込みを通じて重なり状にすることにより、水平二次元方向において、植え穴間の間隔寸法を小さく変更することができるようになされていることを特徴とする水耕栽培用定植板。
【請求項２】
Ｖ字状中間屈折線を挟む一方の辺ともう一方の辺の長さ寸法が異ならされており、それにより、前記切込みを通じて重ね合わされる板部同士が上下に位置をずらせている請求項１に記載の水耕栽培用定植板。
【請求項３】
植物定植用の貫通の植え穴が複数、設けられた水耕栽培用定植板であって、
前記植え穴間の間隔寸法を大きく、又は、小さく、変更することができるようになされている水耕栽培用定植板であって、
前記植え穴が、水平二次元方向に分散状態に備えられ、
該植え穴間の板部に切欠き部が設けられると共に、該切欠き部は柔軟な膜材にて塞がれており、
植え穴間の板部をＶ字状に屈折させて重ね合わせ状にすると共に、前記膜材を変形させて切欠き部を縮小することにより、水平二次元方向において、植え穴間の間隔寸法を小さく変更することができるようになされていることを特徴とする水耕栽培用定植板。
【発明の詳細な説明】
【技術分野】
【０００１】
本発明は、水耕栽培用定植板に関する。
【背景技術】
【０００２】
水耕栽培においても、スペースを効率良く利用するため、種から苗に育てる段階では株間を狭くし、苗から大きくしていく段階では株間を広くしていくことが行われるが、その作業は、従来より、植え穴間の間隔寸法の異なる複数種類の定植板を用い、植え穴間の間隔寸法の小さい定植板で育てた植物を、人の手で、植え穴間の間隔寸法の大きい定植板に植え替えるというようにして行われている。
【先行技術文献】
【特許文献】
【０００３】
【特許文献１】特開２００４−２６２２０８号公報
【発明の概要】
【発明が解決しようとする課題】
【０００４】
しかしながら、上記のような方法では、植替えそのものの作業が非常に厄介であると共に、植替えの際に根を痛めてしまいやすく、また、植え穴間の間隔寸法の異なる複数種類の定植板をわざわざ用意しておなければならず、嵩張るという問題がある。
【０００５】
本発明は、上記のような問題点に鑑み、株間を広くする作業を容易にすることができると共に、根を傷めることもなく、また、株間を広くする目的で植え穴間の間隔寸法の異なる複数種類の定植板を用意する必要もない水耕栽培用定植板を提供することを課題とする。
【課題を解決するための手段】
【０００６】
上記の課題は、植物定植用の貫通の植え穴が複数、設けられた水耕栽培用定植板であって、
前記植え穴間の間隔寸法を大きく、又は、小さく、変更することができるようになされていることを特徴とする水耕栽培用定植板によって解決される（第１発明）。
【０００７】
この水耕栽培用定植板では、植え穴間の間隔寸法を大きく、又は、小さく、変更することができるようになされているので、植物が植えられた状態のまま、植え穴間の間隔寸法を小さい状態から大きく変更することによって、株間は広められ、よって、そのようにして株間を広くすることによって、株間を広くする作業を容易にすることができると共に、根を傷めることもなく、また、株間を広くする目的で植え穴間の間隔寸法の異なる複数種類の定植板を用意する必要もない。
【０００８】
第１発明において、前記植え穴が、水平二次元方向に分散状態に備えられ、
該植え穴間の板部に切込みが入れられ、
該植え穴間の板部を、Ｖ字状に屈折させて重ね合わせ状にすると共に前記切込みを通じて重なり状にすることにより、水平二次元方向において、植え穴間の間隔寸法を小さく変更することができるようになされているとよい（第２発明）。
【０００９】
この水耕栽培用定植板では特に、切込みが備えられ、該切込みを通じて板部を重なり状にすることができるようになされているので、植え穴が二次元方向に分散状態に備えられているものでありながら、植え穴間の間隔寸法の変更を水平二次元方向において確実に実現することができるのみならず、植え穴間の板部に入れられているのが、このように、切込みであることにより、植え穴間の間隔寸法を小さくした状態では、植え穴間の板部は、切込みを通じて重なり状になっているので、切込みはしっかりと閉じられており、また、植え穴間の間隔寸法を大きくした状態では、植え穴間の板部は切込み部分において切込みであるが故に突き合わせ状になっていて、切込みは依然として閉じられた状態を維持することができ、それにより、水耕栽培において、切込みを通じて下の養液中に差し込む光は、わずかであるか、あるいは、なく、そのため、養液中での苔などの繁殖を防いで、掃除の手間を軽くする、あるいは、なくすことができ、また、養液中の栄養が苔などに奪われるのを防ぐことができる。
【００１０】
第２発明において、Ｖ字状中間屈折線を挟む一方の辺ともう一方の辺の長さ寸法が異ならされており、それにより、前記切込みを通じて重ね合わされる板部同士が上下に位置をずらせているとよい（第３発明）。
【００１１】
この水耕栽培用定植板では特に、切込みを通じて重なり状となる板部間の動きをスムーズにすることができて、植え穴間の間隔寸法を大きくする、あるいは、小さくする操作をスムーズにすることができる。
【００１２】
第１発明において、前記植え穴が、水平二次元方向に分散状態に備えられ、
該植え穴間の板部に切欠き部が設けられると共に、該切欠き部は柔軟な膜材にて塞がれており、
植え穴間の板部をＶ字状に屈折させて重ね合わせ状にすると共に、前記膜材を変形させて切欠き部を縮小することにより、水平二次元方向において、植え穴間の間隔寸法を小さく変更することができるようになされているのもよい（第４発明）。
【００１３】
この水耕栽培用定植板では特に、切欠き部が設けられていると共に、該切欠き部が柔軟な膜材にて塞がれているので、植え穴が二次元方向に分散状態に備えられているものでありながら、植え穴間の間隔寸法の変更を水平二次元方向において確実に実現することができるのみならず、植え穴間の間隔寸法を小さくした状態においても、大きくした状態においても、切欠き部は柔軟な膜材によって塞がれた状態を維持しており、それにより、水耕栽培において、切欠き部を通じて下の養液中に差し込む光は、わずかであるか、あるいは、なく、そのため、養液中での苔などの繁殖を防いで、掃除の手間を軽くする、あるいは、なくすことができ、また、養液中の栄養が苔などに奪われるのを防ぐことができる。
【発明の効果】
【００１４】
第１〜第４発明の水耕栽培用定植板では、株間を広くする作業を容易にすることができると共に、根を傷めることもなく、また、株間を広くする目的で植え穴間の間隔寸法の異なる複数種類の定植板を用意する必要もない。
【００１５】
また、第２〜第４発明の水耕栽培用定植板では、養液中での苔などの繁殖を防いで、掃除の手間を軽くする、あるいは、なくすことができ、また、養液中の栄養が苔などに奪われるのを防ぐことができる。
【００１６】
第３発明の水耕栽培用定植板では、植え穴間の間隔寸法を大きくする、あるいは、小さくする操作をスムーズにすることができる。
【図面の簡単な説明】
【００１７】
【図１】第１実施形態の水耕栽培用定植板を示すもので、図（イ）は植え穴間の間隔寸法を大きくした状態の平面図、図（ロ）は植え穴間の間隔寸法を小さくした状態の平面図、図（ハ）は同定植板の斜視図である。
【図２】図（イ）は第２実施形態の水耕栽培用定植板を示す平面図、図（ロ）は第３実施形態の水耕栽培用定植板を示す平面図である。
【図３】第４実施形態の水耕栽培用定植板を示すもので、図（イ）は植え穴間の間隔寸法を大きくした状態の平面図、図（ロ）は植え穴間の間隔寸法を小さくした状態の平面図である。
【発明を実施するための形態】
【００１８】
次に、本発明の実施形態を図面に基づいて説明する。
【００１９】
図１に示す第１実施形態の水耕栽培用定植板１は、樹脂板や金属板などで制作された非透光性の板からなっていて、該定植板１において、２は貫通の植え穴であり、該植え穴２は、複数備えられ、水平二次元方向に、格子の目状に分散状態に設けられている。
【００２０】
そして、本実施形態では、
・  横方向に延びる植え穴２…の列間の板部全体をＶ字状に屈折させて重ね合わせ状にすることができるようにする屈折線としての折目線３…が設けられる一方、
・  縦方向に延びる植え穴２…の列間の板部は、
・  横方向において隣り合う植え穴間において、Ｖ字状に屈折させて重ね合わせ状にすることができるようにする屈折線としての丁番型回動軸部４…が設けられると共に、
・  それらの間には、Ｈ字状の切込み５が入れられ、
それにより、植え穴２…間の間隔寸法がＡのように大きい図１（イ）に示す状態から、植え穴２…間の板部を、図１（ハ）に示すように、Ｖ字状に屈折させて重ね合わせ状にすると共に、切込み５…を通じて重なり状にすることにより、図１（ロ）に示すように、水平二次元方向において、植え穴２…間の間隔寸法をａのように小さく変更することができるようになされており、逆にすれば、植え穴２…間の間隔寸法を図１（イ）に示すようにＡのように大きく変更することができるようになされている。
【００２１】
更に、本実施形態では、図１（イ）に示すように、縦方向に延びる植え穴２…の列間の板部のうちの、横方向において隣り合う植え穴２間の板部において、中間の丁番型回動軸部４…を挟む一方の辺の長さ寸法ｍともう一方の辺の長さ寸法ｎとが異ならされていて、それにより、図１（ハ）に示すように、切込み５を通じて重ね合わされる板部同士が上下に位置をずらされて、切込み５を通じて重なり状となる板部間の動きをスムーズにすることができて、植え穴間の間隔寸法を大きくする、あるいは、小さくする操作をスムーズにすることができるようになされている。
【００２２】
また、本実施形態では、図１（ハ）に示すように、定植板１の周囲板部１ａは、Ｖ字状屈折重ね合わせ部よりも外方に突出し、該突出板部１ａにＣ字状の係合保持部６が設けられ、Ｖ字状屈折重ね合わせ部を挟む複数の係合保持部６…に線状骨材７を取外し可能に係合保持させることで、植え穴２…間の間隔寸法の小さい状態でその形態を保持させたり、植え穴２…間の間隔寸法の大きい状態でその形態を保持させたりすることができるようになされている。
【００２３】
上記の水耕栽培用定植板１では、このように、植え穴２…間の間隔寸法をＡのように大きく、又は、ａのように小さく、変更することができるようになされているので、植物が植えられた状態のまま、植え穴２…間の間隔寸法を小さい状態から大きく変更することによって、株間は広められ、よって、そのようにして株間を広くすることによって、株間を広くする作業を容易にすることができると共に、根を傷めることもなく、また、株間を広くする目的で植え穴間の間隔寸法の異なる複数種類の定植板を用意する必要もない。
【００２４】
特に、本実施形態では、切込み５…が備えられ、該切込み５を通じて板部を重なり状にすることができるようになされているので、植え穴が二次元方向に分散状態に備えられているものでありながら、植え穴２…間の間隔寸法の変更を水平二次元方向において確実に実現することができる。
【００２５】
のみならず、植え穴２…間の板部に入れられているのが、このように、切込み５であることにより、植え穴２…間の間隔寸法を小さくした状態では、植え穴２…間の板部は、切込み５を通じて重なり状になっているので、切込み５はしっかりと閉じられており、また、植え穴２…間の間隔寸法を大きくした状態では、植え穴２間の板部は切込み部分において切込み５であるが故に突き合わせ状になっていて、切込み５は依然として閉じられた状態を維持することができ、それにより、水耕栽培において、切込み５を通じて下の養液中に差し込む光は、わずかであるか、あるいは、なく、そのため、養液中での苔などの繁殖を防いで、掃除の手間を軽くする、あるいは、なくすことができ、また、養液中の栄養が苔などに奪われるのを防ぐことができる。
【００２６】
図２（イ）に示す第２実施形態の水耕栽培用定植板１は、切込み５がコ字状をしているものであり、また、図２（ロ）に示す第３実施形態の水耕栽培用定植板１は、切込み５がＳ字状をしているものであり、その他は、第１実施形態と同様であり、同様の作用効果が奏される。
【００２７】
図３に示す第４実施形態の水耕栽培用定植板１は、
・  横方向に延びる植え穴２…の列間の板部は、
・  縦方向において隣り合う植え穴間において、Ｖ字状に屈折させて重ね合わせ状にすることができるようにする屈折線としての丁番型回動軸部４…が設けられ、
・  それらの間には切欠き部８が設けられると共に、該切欠き部８は、非透光性の柔軟な膜材９にて塞がれており、
・  縦方向に延びる植え穴２…の列間の板部は、
・  横方向において隣り合う植え穴間において、Ｖ字状に屈折させて重ね合わせ状にすることができるようにする屈折線としての丁番型回動軸部４…が設けられ、
・  それらの間には、上記の、膜材９にて塞がれた切欠き部８が存在しており、
それにより、植え穴２…間の間隔寸法がＡのように大きい図３（イ）に示す状態から、植え穴２…間の板部を、Ｖ字状に屈折させて重ね合わせ状にすると共に、前記膜材９…を変形させて切欠き部８を縮小することにより、図３（ロ）に示すように、水平二次元方向において、植え穴２…間の間隔寸法をａのように小さく変更することができるようになされており、逆にすれば、植え穴２…間の間隔寸法を図３（イ）に示すようにＡのように大きく変更することができるようになされている。なお、膜材９は、例えば、シリコンなどからなっている。また、中間の丁番型回動軸部４…を挟む一方の辺の長さ寸法ともう一方の辺の長さ寸法とは同じに設計されている。その他は、第１実施形態とほぼ同様である。
【００２８】
この水耕栽培用定植板１では、切欠き部８が設けられていると共に、該切欠き部８が柔軟な膜材９にて塞がれているので、植え穴が二次元方向に分散状態に備えられているものでありながら、植え穴２…間の間隔寸法の変更を水平二次元方向において確実に実現することができるのみならず、
植え穴２…間の間隔寸法を小さくした状態においても、大きくした状態においても、切欠き部８は柔軟な膜材９によって塞がれた状態を維持しており、それにより、水耕栽培において、切欠き部８を通じて下の養液中に差し込む光は、わずかであるか、あるいは、なく、そのため、養液中での苔などの繁殖を防いで、掃除の手間を軽くする、あるいは、なくすことができ、また、養液中の栄養が苔などに奪われるのを防ぐことができる。
【００２９】
以上に、本発明の実施形態を示したが、本発明はこれに限られるものではなく、発明思想を逸脱しない範囲で各種の変更が可能である。例えば、上記の実施形態では、水平二次元方向に分散状態に備えられた植え穴間の間隔寸法を、水平二次元方向において大きくしたり、小さくしたりすることができるようにする手段のいくつかを示しているが、本発明は、それに限らず、その他の手段によって、植え穴間の間隔寸法を大小変更することができるようになされていてもよい。また、第１発明における水耕栽培用定植板は、水平一次元方向に分散状態に備えられた植え穴間の間隔寸法を同方向において大きくしたり小さくしたりすることができるように構成されたものであってもよい。
【符号の説明】
【００３０】
１…水耕栽培用定植板
２…植え穴
３…折目線（屈折線）
４…丁番型回動軸部（屈折線）
５…切込み
８…切欠き部
９…膜材
【図１】
0005749549.tif 000002
【図２】
0005749549.tif 000003
【図３】
0005749549.tif 000004